(57)【要約】      （修正有）【課題】電着塗料組成物などの塗料の消泡試験をより簡便に行うことができる塗料消泡試験用器具を提供する。【解決手段】直径９〜１５ｃｍである透明または半透明の管１を有する塗料消泡試験用器具１０であって、この管の一方の端はフォードカップを固定する固定部３を有し、この管の他の一方の端は、平面に対してこの管を垂直方向に維持する台座部５を有し、この管は、管内に計量可能な容器を内包することができ、およびこの器具によって、このフォードカップのオリフィスから計量可能な容器の底面までが所定の距離に保たれる、塗料消泡試験用器具。【選択図】図１
0003116818.tif 000002
【実用新案登録請求の範囲】
【請求項１】
直径９〜１５ｃｍである透明または半透明の管を有する塗料消泡試験用器具であって、
該管の一方の端はフォードカップを固定する固定部を有し、
該管の他の一方の端は、平面に対して該管を垂直方向に維持する台座部を有し、
該管は、管内に計量可能な容器を内包することができ、および
該器具によって、該フォードカップのオリフィスから計量可能な容器の底面までが所定の距離に保たれる、
塗料消泡試験用器具。
【請求項２】
フォードカップのオリフィスから計量可能な容器の底面までの距離が１００ｃｍである、請求項１記載の塗料消泡試験用器具。
【考案の詳細な説明】
【技術分野】
【０００１】
本考案は、電着塗料組成物などの塗料の消泡試験に用いられる、塗料消泡試験用器具に関する。
【背景技術】
【０００２】
電着塗装は、電着塗料を含有する電着浴中に被塗物を浸漬させ、電圧を印加することにより行われる。電着浴に満たされている電着塗料組成物は、水性媒体、水性媒体中に分散したバインダー樹脂、顔料や各種添加剤を含有する分散体である。それゆえ塗料組成物の均一性を維持するために常に流動させておく必要がある。
【０００３】
例えば、自動車車体の電着塗装工程では、大規模な電着浴に電着塗料組成物が満たされて撹拌されている。この電着浴の一端に未塗装の車体が挿入され、電着塗料組成物の中を一定時間かけてくぐらせた後、引き上げられる。この工程はライン設備により連続的に行われる。かかる工程中、電着塗料組成物は電着浴中で激しく流動することになる。
【０００４】
そのような状態で未塗装の車体を塗料組成物中に浸漬すると、その際には多量の泡が発生する。発生した泡が未塗装の車体に付着したまま塗装が行われると、泡跡と呼ばれる塗膜の欠陥が生じる。
【０００５】
従って、塗装工程で電着塗料組成物に発生した泡はできるだけ速やかに消えるように、電着塗料組成物は消泡性に優れていることが好ましい。そして、電着塗装に用いられる電着塗料組成物が、どの程度の消泡性を有しているかを、塗装ラインで用いる前に予め調べておく必要がある。
【０００６】
現在、電着塗料組成物の消泡試験は、一般に次のようにして行われている：
方法１：希釈した電着塗料組成物１００ｍｌをフォードカップ＃４に入れ、１００ｃｍの高さから５００ｍｌメスシリンダーに向けて塗料組成物を落下させる。メスシリンダー中に発生した泡の発泡量および泡の消泡時間を測定する。
方法２：５００ｍｌメスシリンダーに希釈した電着塗料組成物を入れ、一定の早さでメスシリンダーの上下を所定の回数逆転させた後に、メスシリンダー中に発生した泡の発泡量および泡の消泡時間を測定する。
【０００７】
現在、方法１の手法が消泡試験としてより一般的に行われている。しかしながら、この方法は、１００ｃｍという高さから、塗料組成物を、直径５ｃｍ程の５００ｍｌメスシリンダーに向けて落下させるため、塗料組成物がメスシリンダー内に向けて具合よく落下せず、メスシリンダーの周辺に落下してしまうことがある。この場合は消泡試験を再度やり直す必要がある。また、落下させた塗料組成物がはねて床に飛び散るなどの不具合が生じることもある。
【考案の開示】
【考案が解決しようとする課題】
【０００８】
本考案は上記従来の問題を解決するものであり、その目的とするところは、電着塗料組成物などの塗料の消泡試験をより簡便に行うことができる塗料消泡試験用器具を提供することにある。
【課題を解決するための手段】
【０００９】
本考案は、
直径９〜１５ｃｍである透明または半透明の管を有する塗料消泡試験用器具であって、
この管の一方の端はフォードカップを固定する固定部を有し、
この管の他の一方の端は、平面に対してこの管を垂直方向に維持する台座部を有し、
この管は、管内に計量可能な容器を内包することができ、および
この器具によって、このフォードカップのオリフィスから計量可能な容器の底面までが所定の距離に保たれる、
塗料消泡試験用器具、を提供するものであり、これにより上記目的が達成される。
【００１０】
フォードカップのオリフィスから計量可能な容器の底面までの距離は１００ｃｍであるのが好ましい。
【考案の効果】
【００１１】
本考案によって、電着塗料組成物などの塗料の消泡試験をし損じる可能性が低減される。さらに、消泡試験を行う際に生じうる塗料組成物の床への飛び散りなどを防ぐことができる。本考案の塗料消泡試験用器具を用いることによって、電着塗料組成物などの塗料の消泡試験をより簡便に行うことが可能となる。
【考案を実施するための最良の形態】
【００１２】
図１は本考案の塗料消泡試験用器具の模式的斜視図である。また、図２は、本考案の塗料消泡試験用器具の模式的正面図である。塗料消泡試験用器具（１０）は、管（１）を有する。そしてこの管の一方の端は、フォードカップを固定する固定部（３）を有する。またこの管の他の一方の端は、台座部（５）を有する。この塗料消泡試験用器具（１０）は、台座部を下方に向けて平面部に設置する。台座部（５）によって、塗料消泡試験用器具（１０）の管（１）は、塗料消泡試験用器具を設置する平面に対して垂直方向に維持されることとなる。
【００１３】
そして本考案の塗料消泡試験用器具は、この管（１）の内部に、計量可能な容器を設置することができる。図３は、本考案の塗料消泡試験用器具の使用態様の一例を示す模式的斜視図である。図３に示すとおり、塗料消泡試験用器具（１０）は、計量可能な容器（３０）をその管の内部に内包することができる。計量可能な容器（３０）として、例えばメスシリンダーなどが挙げられる。メスシリンダーとして、例えば５００ｍｌメスシリンダーなどを用いるのがより好ましい。尚、計量可能な容器の容量の大きさは、消泡試験に用いる塗料組成物の発泡の程度に依存しうる。
【００１４】
固定部（３）および台座部（５）は、管（１）から取り外し可能な状態であってもよい。台座部（５）が取り外し可能である場合は、計量可能な容器（３０）をその管の内部に容易に内包することができ、好ましい。また、台座部（５）に空洞部が設けられていてもよい。この場合はこの空洞部から計量可能な容器を挿入することができる。なお、台座部が何れの形状であっても、塗料消泡試験用器具の管（１）を、設置面に対して垂直方向に維持することができることが重要である。
【００１５】
管（１）は一定の直径を有する直線状の管であるのが好ましい。管（１）の直径は、９〜１５ｃｍ程であり、好ましくは１０〜１２ｃｍ程である。
【００１６】
塗料消泡試験用器具（１０）の管（１）は、計量可能な容器中に発生した泡の量を管（１）の外側から計測可能なように、透明または半透明である。尚、発生した泡の量を管（１）の外側から計測可能であればよく、この管（１）は有色であっても無色であってもよい。管（１）の材質として、透明または半透明な材質を用いることができる。用いることができる材質として、例えば、ガラス、樹脂などが挙げられる。用いることができる樹脂としては、例えば塩化ビニル、ＰＥＴ、アクリル樹脂、ポリエチレン、ポリプロピレン、ポリ酢酸ビニル、ポリスチレン（ＡＳ樹脂、ＡＢＳ樹脂等も含む）、ポリカーボネートおよびこれらの共重合体などが挙げられる。
【００１７】
管（１）の上端は、フォードカップを固定する固定部（３）を有している。この固定部（３）にフォードカップを設置した使用態様の一例を、図３に示す。図３中、フォードカップ（２０）は、オリフィスを下に向けて塗料消泡試験用器具（１０）に設置されている。フォードカップ（２０）の上方から、消泡試験に用いる塗料組成物を注ぎ入れることができる。
【００１８】
フォードカップは、希釈された比較的低粘度の塗料組成物の粘度を測定する際に広く用いられている。この測定法は「フォードカップＮｏ．４法」と言われている。フォードカップとして、フォードカップＮｏ．４を用いるのがより好ましい。このフォードカップＮｏ．４は、ＪＩＳ  Ｋ５４００（１９９７）の規格品である。フォードカップＮｏ．４の構造を示す断面図を図４に示す。図４に示されるとおり、フォードカップＮｏ．４はオリフィスを有する。フォードカップの上部から塗料組成物を注ぎ入れると、このオリフィスから塗料組成物が流出する。そして本考案の塗料消泡試験用器具によって、このフォードカップのオリフィスから計量可能な容器の底面までが所定の距離に保たれる。フォードカップのオリフィスから計量可能な容器の底面までの距離は、消泡試験に用いる塗料組成物の種類に依存しうる。この距離は、例えば１００ｃｍとなるように設計することができる。
【００１９】
本考案の塗料消泡試験用器具を用いて、塗料組成物の消泡試験を行う方法の一例を説明する。消泡試験を行う塗料組成物として、例えば電着塗料組成物などが挙げられる。塗料組成物は、予め希釈しておき、不揮発分を一定の濃度（例えば不揮発分１％）まで下げておいてもよい。塗料組成物を希釈することによって、フォードカップのオリフィスの目詰まりを防ぐことができる。
【００２０】
塗料消泡試験用器具に、計量可能な容器（３０）、フォードカップ（２０）などを、図３に示すように設置する。次いで、フォードカップの上方から塗料組成物を入れる。フォードカップに入れる塗料組成物の量は、試験を行う塗料組成物の性質に依存して変化しうるが、１００〜２００ｍｌであるのが好ましく、１００ｍｌであるのがより好ましい。こうしてフォードカップ中に入れられた塗料組成物は、フォードカップのオリフィスから流出し、計量可能な容器中へ落下する。フォードカップ中に入れた塗料組成物が全て落下した時点における、計量可能な容器中に発生した泡の量を測定する。計量可能な容器を例えば５００ｍｌメスシリンダーとして規格化する場合は、容器内に発生した泡の高さを測定することにより、塗料組成物間における相対的な発泡量を測定することができる。また、計量可能な容器の直径および発生した泡の高さを測定することにより、発生した泡の体積を算出してもよい。
【００２１】
次に、フォードカップ中に入れた塗料組成物が全て落下した時から、計量可能な容器中に発生した泡が徐々に消泡し、そして容器の上から見た場合に測定で用いた塗料組成物の液面が液面中心部において視認できるようになるまでの時間（消泡時間）を測定する。こうして測定した発泡量および消泡時間を求めることによって、塗料組成物の消泡性能を判断することができる。
【産業上の利用可能性】
【００２２】
本考案の塗料消泡試験用器具によって、電着塗料組成物などの塗料の消泡試験をし損じる可能性が低減される。さらに、消泡試験を行う際に生じうる塗料組成物の床への飛び散りなどを防ぐこともできる。本考案の塗料消泡試験用器具を用いることによって、電着塗料組成物などの塗料の消泡試験をより簡便に行うことができる。
【図面の簡単な説明】
【００２３】
【図１】本考案の塗料消泡試験用器具の模式的斜視図である。
【図２】本考案の塗料消泡試験用器具の模式的正面図である。
【図３】本考案の塗料消泡試験用器具の使用態様を示す斜視図である。
【図４】フォードカップＮｏ．４の構造を示す断面図である。
【符号の説明】
【００２４】
１…管、
３…固定部、
５…台座部、
１０…塗料消泡試験用器具、
２０…フォードカップ、
３０…計量可能な容器。
【図１】
0003116818.tif 000003
【図２】
0003116818.tif 000004
【図３】
0003116818.tif 000005
【図４】
0003116818.tif 000006